(57)【特許請求の範囲】
【請求項１】
粘着テープ巻体（１）を取着するための保持輪（20）を回転自在に枢支する基枠（２）に前後揺動自在として下部（３ｂ）が枢着されると共に上部（３ａ）に切断刃部（39）を有する揺動カッター部材（３）を備え、引き出された粘着テープ（10）を前方揺動位置の上記揺動カッター部材（３）にて切断し、上記揺動カッター部材（３）を後方揺動位置まで揺動させると折り返しタブ（11）を形成するように構成したテープカッターであって、
上記保持輪（20）と前方揺動位置の上記揺動カッター部材（３）との前後中間位置に、引き出された粘着テープ（10）を仮貼着して保持する仮貼着部（25）を上記基枠（２）に設け、
上記仮貼着部（25）は、上記保持輪（20）の枢支点（Ｐａ）に向かって傾斜する後方下傾状の仮貼着面（25ａ）を有し、かつ、該仮貼着面（25ａ）は、中央分離スリット部（25ｂ）を介して、左右に分離され、
上記中央分離スリット部（25ｂ）にて上記粘着テープ（10）の幅方向中央部（10ｂ）を横断面下方弯曲凸状に変形させて、上記粘着テープ（10）が側面視下方弯曲凸状に垂れ下がるのを防止するテープ剛性を付与し、上記幅方向中央部（10ｂ）を上記仮貼着面（25ａ）の前方近傍位置で側断面視前方上傾状に保持するように構成し、
さらに、上記揺動カッター部材（３）にて上記粘着テープ（10）を切断する際に、側面視で上記枢支点（Ｐａ）から上記仮貼着面（25ａ）の前縁（25ｃ）に上記粘着テープ（10）の側縁（10ｋ）が仮貼着した側縁仮貼着点（Ｐｂ）を介して前方揺動位置の上記揺動カッター部材（３）の上記切断刃部（39）の刃先（39ａ）までを結ぶ仮想折線（Ｑ）の折れ角度（θ）が１４５°以上１７０°以下となるように構成し、かつ、上記切断する際に、上記側縁仮貼着点（Ｐｂ）と、前方揺動位置の上記揺動カッター部材（３）の上記切断刃部（39）の刃先（39ａ）と、の直線距離（Ｓ）が１６ｍｍ以上２６ｍｍ以下となるように構成したことを特徴とするテープカッター。
【請求項２】
粘着テープ巻体（１）を取着するための保持輪（20）を回転自在に枢支する基枠（２）に前後揺動自在として下部（３ｂ）が枢着されると共に上部（３ａ）に切断刃部（39）を有する揺動カッター部材（３）を備え、引き出された粘着テープ（10）を前方揺動位置の上記揺動カッター部材（３）にて切断し、上記揺動カッター部材（３）を後方揺動位置まで揺動させると折り返しタブ（11）を形成するように構成したテープカッターであって、
上記保持輪（20）と前方揺動位置の上記揺動カッター部材（３）との前後中間位置に、引き出された粘着テープ（10）を仮貼着して保持する仮貼着部（25）を上記基枠（２）に設け、
上記仮貼着部（25）は、上記保持輪（20）の枢支点（Ｐａ）に向かって傾斜する後方下傾状の仮貼着面（25ａ）を有し、かつ、該仮貼着面（25ａ）は、上記粘着テープ（10）の幅方向中央部（10ｂ）の仮貼着を防止する中央逃がし凹部（25ｋ）を介して、左右に分離状に配設され、
上記中央逃がし凹部（25ｋ）にて上記粘着テープ（10）の上記幅方向中央部（10ｂ）を横断面下方弯曲凸状に変形させて、上記粘着テープ（10）が側面視下方弯曲凸状に垂れ下がるのを防止するテープ剛性を付与し、上記幅方向中央部（10ｂ）を上記仮貼着面（25ａ）の前方近傍位置で側断面視前方上傾状に保持するように構成し、
さらに、上記揺動カッター部材（３）にて上記粘着テープ（10）を切断する際に、側面視で上記枢支点（Ｐａ）から上記仮貼着面（25ａ）の前縁（25ｃ）に上記粘着テープ（10）の側縁（10ｋ）が仮貼着した側縁仮貼着点（Ｐｂ）を介して前方揺動位置の上記揺動カッター部材（３）の上記切断刃部（39）の刃先（39ａ）までを結ぶ仮想折線（Ｑ）の折れ角度（θ）が１４５°以上１７０°以下となるように構成し、かつ、上記切断する際に、上記側縁仮貼着点（Ｐｂ）と、前方揺動位置の上記揺動カッター部材（３）の上記切断刃部（39）の刃先（39ａ）と、の直線距離（Ｓ）が１６ｍｍ以上２６ｍｍ以下となるように構成したことを特徴とするテープカッター。
【発明の詳細な説明】
【技術分野】
【０００１】
本発明は、テープカッターに関する。
【背景技術】
【０００２】
従来、梱包や包装作業において、粘着テープを仮止めとして用いる場合に、粘着テープ巻体から引き出した粘着テープに紙やプラスチックの薄片を貼着させて切断し、剥離用薄片付き粘着テープを形成するテープカッターがあった（例えば、特許文献１参照）。
【先行技術文献】
【特許文献】
【０００３】
【特許文献１】実開昭６０−３３５４９号公報
【発明の概要】
【発明が解決しようとする課題】
【０００４】
しかし、粘着テープに剥離用薄片を貼着させるテープカッターは、剥離用薄片が消耗品となるためランニングコストがかかると共に、剥離用薄片の補充といった手間がかかるといった問題があった。
【０００５】
そこで、本発明は、容易かつ確実に仮止め用粘着テープ片を形成でき、剥離用紙片のコストや補充作業が不要で、使い勝手の良いテープカッターの提供を目的とする。
【課題を解決するための手段】
【０００６】
上記目的を達成するために、本発明のテープカッターは、粘着テープ巻体を取着するための保持輪を回転自在に枢支する基枠に前後揺動自在として下部が枢着されると共に上部に切断刃部を有する揺動カッター部材を備え、引き出された粘着テープを前方揺動位置の上記揺動カッター部材にて切断し、上記揺動カッター部材を後方揺動位置まで揺動させると折り返しタブを形成するように構成したテープカッターであって、上記保持輪と前方揺動位置の上記揺動カッター部材との前後中間位置に、引き出された粘着テープを仮貼着して保持する仮貼着部を上記基枠に設け、上記仮貼着部は、上記保持輪の枢支点に向かって傾斜する後方下傾状の仮貼着面を有し、かつ、該仮貼着面は、中央分離スリット部を介して、左右に分離され、上記中央分離スリット部にて上記粘着テープの幅方向中央部を横断面下方弯曲凸状に変形させて、上記粘着テープが側面視下方弯曲凸状に垂れ下がるのを防止するテープ剛性を付与し、上記幅方向中央部を上記仮貼着面の前方近傍位置で側断面視前方上傾状に保持するように構成し、さらに、上記揺動カッター部材にて上記粘着テープを切断する際に、側面視で上記枢支点から上記仮貼着面の前縁に上記粘着テープの側縁が仮貼着した側縁仮貼着点を介して前方揺動位置の上記揺動カッター部材の上記切断刃部の刃先までを結ぶ仮想折線の折れ角度が１４５°以上１７０°以下となるように構成し、かつ、上記切断する際に、上記側縁仮貼着点と、前方揺動位置の上記揺動カッター部材の上記切断刃部の刃先と、の直線距離が１６ｍｍ以上２６ｍｍ以下となるように構成したものである。
【０００７】
また、粘着テープ巻体を取着するための保持輪を回転自在に枢支する基枠に前後揺動自在として下部が枢着されると共に上部に切断刃部を有する揺動カッター部材を備え、引き出された粘着テープを前方揺動位置の上記揺動カッター部材にて切断し、上記揺動カッター部材を後方揺動位置まで揺動させると折り返しタブを形成するように構成したテープカッターであって、上記保持輪と前方揺動位置の上記揺動カッター部材との前後中間位置に、引き出された粘着テープを仮貼着して保持する仮貼着部を上記基枠に設け、上記仮貼着部は、上記保持輪の枢支点に向かって傾斜する後方下傾状の仮貼着面を有し、かつ、該仮貼着面は、上記粘着テープの幅方向中央部の仮貼着を防止する中央逃がし凹部を介して、左右に分離状に配設され、上記中央逃がし凹部にて上記粘着テープの上記幅方向中央部を横断面下方弯曲凸状に変形させて、上記粘着テープが側面視下方弯曲凸状に垂れ下がるのを防止するテープ剛性を付与し、上記幅方向中央部を上記仮貼着面の前方近傍位置で側断面視前方上傾状に保持するように構成し、さらに、上記揺動カッター部材にて上記粘着テープを切断する際に、側面視で上記枢支点から上記仮貼着面の前縁に上記粘着テープの側縁が仮貼着した側縁仮貼着点を介して前方揺動位置の上記揺動カッター部材の上記切断刃部の刃先までを結ぶ仮想折線の折れ角度が１４５°以上１７０°以下となるように構成し、かつ、上記切断する際に、上記側縁仮貼着点と、前方揺動位置の上記揺動カッター部材の上記切断刃部の刃先と、の直線距離が１６ｍｍ以上２６ｍｍ以下となるように構成したものである。
【発明の効果】
【０００８】
本発明によれば、引き出した粘着テープの切断直後に、仮貼着部と切断刃部の間の粘着テープを確実に側面視上方弯曲凸状とすることができる。したがって、揺動カッター部材を後方揺動させるとき、粘着テープが側面視で下方弯曲凸状に垂れ下がることなく、確実に折り返しタブを形成することができる。折り返しタブを有する仮止め用粘着テープ片を形成可能なテープカッターを、簡素な構造にでき、容易に製造できる。仮貼着部と切断刃部の間の粘着テープを下方から押し上げるような部位や部材が必要なく、折り返しタブを形成しない場合は引き出した粘着テープの下方位置に指を通して容易に摘むことができる。
【図面の簡単な説明】
【０００９】
【図１】本発明の実施の一形態を示し、テープ切断直前状態を示す断面側面図である。
【図２】テープ切断完了状態の平面図である。
【図３】図２のＡ−Ａ断面図である。
【図４】図２のＢ−Ｂ断面図である。
【図５】要部斜視図である。
【図６】折り返しタブ形成状態を示す断面側面図である。
【図７】仮貼着部の一例を示す正面図である。
【図８】参考例の仮貼着部を示す正面図である。
【図９】第２の実施形態の仮貼着部を示す正面図である。
【図１０】揺動カッター部材の要部拡大断面図である。
【図１１】図10のＹ方向矢視図である。
【図１２】仮貼着面の傾斜を説明するための図である。
【図１３】第３の実施形態の仮貼着部を示す正面図であって、（ａ）は中央逃がし凹部が上方開口コの字状の場合の正面図であり、（ｂ）は中央逃がし凹部が下方弯曲円弧状の場合の正面図であり、（ｃ）は中央逃がし凹部がＶ字状の場合の正面図である。
【図１４】第４の実施形態の仮貼着部を示す正面図であって、（ａ）は中央逃がし凹部が上方開口コの字状の場合の正面図であり、（ｂ）は中央逃がし凹部が下方弯曲円弧状の場合の正面図であり、（ｃ）は中央逃がし凹部がＶ字状の場合の正面図である。
【図１５】第５の実施形態の仮貼着部を示す正面図である。
【図１６】第６の実施形態の仮貼着部を示す正面図である。
【図１７】第７の実施形態の仮貼着部を示す正面図である。
【発明を実施するための形態】
【００１０】
以下、図示の実施形態に基づき本発明を詳説する。
本発明に係るテープカッターは、図１に示すように、粘着テープ巻体１を取着するための保持輪20を回転自在に枢支する基枠２と、基枠２に前後揺動自在として下部３ｂが枢着されると共に上部３ａに切断刃部39を有する揺動カッター部材３と、を備えている。
【００１１】
揺動カッター部材３は、下部３ｂが基枠２の前部の左右側壁部29，29に枢着され前方揺動位置（図１参照）と、後方揺動位置（図６参照）とに、揺動切換自在に設けている。
揺動カッター部材３が所定の前方揺動位置で停止するように位置決めするストッパー部51を、基枠２に設けている。
ストッパー部51に当接して前方揺動位置に保持されている揺動カッター部材３の切断刃部39に、二点鎖線で図示の引き出した粘着テープ10を上方から押し付けることで、テープ押付け力（切断力）をストッパー部51で受けて粘着テープ10を切断可能としている。
なお、図１のように、揺動カッター部材３が前方揺動位置に保持されている状態をテープ切断準備状態、又は、テープ切断直前状態と呼ぶ。
【００１２】
そして、前方揺動位置の揺動カッター部材３の上部３ａと、保持輪20と、の前後中間位置に、引き出された粘着テープ10を仮貼着して保持する仮貼着部25を、基枠２に設けている。
【００１３】
仮貼着部25は、側断面視（図１に示すように縦断面視）で保持輪20の枢支点Ｐａに向かって傾斜する後方下傾状（前方上傾状）の仮貼着面25ａを有している。
「枢支点Ｐａに向かって傾斜する」とは、図12に示すように、側面視で仮貼着面25ａの前縁25ｃと枢着点Ｐａを結ぶ直線Ｋを基準線とし、前縁25ｃを中心点として、上方へプラス２０°の範囲に傾斜していることを言う。
仮貼着面25ａの前縁25ｃは、前方揺動位置の揺動カッター部材３の切断刃部39の刃先39ａよりも上位置に設けている。
【００１４】
引き出した粘着テープ10の前後中間部を仮貼着部25に押圧させつつ、テープ前部を前方揺動位置の揺動カッター部材３の切断刃部39に押圧して切断する。
切断完了後は、図２及び図３に示すように、粘着テープ10の前後中間部が仮貼着部25に仮貼着すると共に粘着テープ10の切断端縁が揺動カッター部材３の切断刃部39と、切断刃部39の後方位置近傍に配設される切断端縁受け部38とに、仮貼着して、粘着テープ10が引き出された状態で保持されるタブ形成待機状態（テープ切断完了状態）となる。
【００１５】
ここで、図７に示すように、仮貼着面25ａは、中央分離スリット部25ｂを介して左右分離されている。また、仮貼着面25ａは、正面視で水平状（一文字状）に形成している。また、仮貼着面25ａと中央分離スリット部25ｂが接する角部25ｅ，25ｅをアール形状としている。
タブ形成待機状態において、仮貼着部25は、中央分離スリット部25ｂにて粘着テープ10の幅方向中央部10ｂを横断面（正面断面視）下方弯曲凸状に形成させている。角部25ｅ，25ｅをアール形状とすることでより確実に下方弯曲凸状に形成させることが可能となる。
このように仮貼着部25にて粘着テープ10を横断面下方弯曲凸状に変形させることで、粘着テープ10の長手方向の曲げに抗するテープ剛性を付与している。
図２乃至図５に示すように、仮貼着部25の後方近傍位置から前方近傍位置にわたって、粘着テープ10の幅方向中央部10ｂが横断面下方弯曲凸状に変形した凹部８が形成されると共に、この粘着テープ10の凹部８によって揺動カッター部材３が仮貼着面25ａに向かって僅かに後方揺動した（前方揺動位置から引き寄せられた）状態となる。
【００１６】
図３及び図４に示すように、タブ形成待機状態において、仮貼着部25と切断端縁受け部38の間の粘着テープ10は、側面視下方弯曲凸状に垂れ下がらず、また、前方下傾状の直線状でもなく、仮貼着面25ａの前縁25ｃと切断端縁受け部38の後縁38ｃを結んだ仮想直線Ｊよりも上位置に頂部が存在する上方弯曲凸状に保持される。また、粘着テープ10の両側縁10ｋ，10ｋは仮想直線Ｊよりも上位置に保持される。
仮貼着面25ａの前縁25ｃからテープ切断端縁までのテープ先端領域Ｅにおいて、粘着テープ10の８５％以上の長さを、仮想直線Ｊ以上の高さ位置に保持している。
【００１７】
中央分離スリット部25ｂによる横断面下方弯曲凸状の変形によって、粘着テープ10が側面視下方弯曲凸状に垂れ下がるのを防止するテープ剛性（コシ）を、仮貼着部25の後方近傍位置から前方近傍位置へわたって粘着テープ10に付与している。
【００１８】
粘着テープ10は、特に、幅方向中央部10ｂにおいて前後（長手）方向に剛性が向上し、図４及び図５に示すように、粘着テープ10の幅方向中央部10ｂにおいて仮貼着面25ａの前縁25ｃを越えた部位であっても直ぐに切断端縁受け部38に向かうように曲がらず、仮貼着面25ａによる前方上傾状姿勢が、仮貼着面25ａの前方近傍位置まで延伸されるよう保持される。粘着テープ10の幅方向中央部10ｂの頂部（ピーク部）10ｇが、仮貼着面25ａと切断刃部39（切断端縁受け部38）との間で、仮貼着面25ａ寄りに形成される。
【００１９】
そして、図３に示すタブ形成待機状態から、揺動カッター部材３を、手動で（手指等で）押して、後方揺動位置にする際に、粘着テープ10を横断面下方弯曲凸状に変形させて得たテープ剛性によって、粘着テープ10のテープ先端領域Ｅを、側面視で上方凸型円弧状に保持して、下方への垂れ下がりを防止する。図６に示すように、仮貼着部25に接近乃至当接させた後方揺動位置で、粘着テープ10において切断刃部39（切断端縁受け部38）近傍部位と仮貼着部25近傍部位が相互に貼着して、上方凸型の折り返しタブ（剥離用タブ）11を形成する。
【００２０】
また、図６に示すタブ形成状態は、粘着テープ10が、仮貼着部25に仮貼着すると共に、揺動カッター部材３の上部３ａ（切断刃部39や切断端縁受け部38）に仮貼着している。また、揺動カッター部材３は、折り返しタブ11を形成した後方揺動位置で、折り返しタブ11の基端部を形成する粘着面同士の貼着力によって、後方揺動位置が保持される。
【００２１】
そして、折り返しタブ11が形成された粘着テープ10を指にて上方へ引き上げると、粘着テープ10が揺動カッター部材３及び仮貼着部25から離間し、揺動カッター部材３は自重により前方揺動位置となるように構成している。
折り返しタブ11が形成された粘着テープ10を前方へ引き出し、粘着テープ10において折り返しタブ11よりも後方側を、前方揺動位置となった揺動カッター部材３で切断すると、折り返しタブ11を有する仮止め用粘着テープ片を形成できる。
また、図３及び図４のテープ切断完了状態から、揺動カッター部材３を後方へ揺動させずに粘着テープ10を引き上げ、前方へ引き出して、前方揺動位置の揺動カッター部材３で切断すれば、折り返しタブ11を有していない取着用テープ片を形成できる。
【００２２】
ここで、図１と図２及び図７に示すように、仮貼着面25ａの前縁25ｃに粘着テープ10の側縁10ｋが仮点着した点を側縁仮貼着点Ｐｂと呼ぶと、図１に示すように、テープ切断準備状態において、側面視で保持輪20の枢支点（回転軸心点）Ｐａから側縁仮貼着点Ｐｂを介して前方揺動位置の揺動カッター部材３の切断刃部39の刃先39ａまでを結ぶ仮想折線Ｑの折れ角度θが１４５°以上１７０°以下となるように、揺動カッター部材３及び仮貼着部25を設けている。下限値未満であると、粘着テープ10にスジ痕が付くような折れが生じる虞れがある。上限値を越えると、タブ形成待機状態（図３参照）で側面視上方弯曲凸状の形状（頂部10ｇ）が低くなって、揺動カッター部材３を後方揺動させる際に、テープ先端領域Ｅが下方へ垂れ下がる（Ｖ字状に折れ曲がる）虞れがある。特に、１５０°以上１６０°以下が望ましい。
【００２３】
さらに、図１に示すように、テープ切断準備状態において、側縁仮貼着点Ｐｂと、前方揺動位置の揺動カッター部材３の切断刃部39の刃先39ａと、の直線距離Ｓが、１６ｍｍ以上２６ｍｍ以下となるように、好ましくは、直線距離Ｓが、１７ｍｍ以上２３ｍｍ以下となるように、揺動カッター部材３及び仮貼着部25を設けている。
下限値未満であると、形成するタブ11が小さくなって使い勝手が悪くなる。上限値を越えると、粘着テープ10の自重によって、粘着テープ10のテープ先端領域Ｅが垂れ下がる虞れがある。
【００２４】
また、図10に示すように、揺動カッター部材３は、板状の切断刃部39を有し、切断刃部39の後方位置近傍に配設される切断端縁受け部38の受け面38ａを、揺動カッター部材３の前方揺動位置において、後方上傾状に形成し、図11に示すように、切断刃部39に垂直な方向（図10の矢印Ｙ方向）から見て、受け面38ａの前縁38ｄが、刃先39ａと谷部39ｂの上下中間位置となるように設けている。また、図11において図示省略しているが、受け面38ａの後縁38ｃも刃先39ａと谷部39ｂの上下中間位置となるように設けている。
また、切断刃部39を鉛直面状姿勢とした際に、谷部39ｂの後縁から、受け面38ａの前縁38ｄまでの高さ寸法ｈが、谷部39ｂの後縁から刃先39ａまでの高さ寸法Ｈの、３５％以上６５％以下に設定している。好ましくは、４５％以上５５％以下に設定する。
このように設定することで、使用者の手（指）が誤って、切断刃部39に押し付けられても、刃の谷部39ｂまで食い込むことがなく、ケガを防止する。
つまり、切断刃部39にて切断した粘着テープ10の切断端縁が仮貼着する切断端縁受け部38は、刃の谷部39ｂまで手が食い込むのを防止する食い込み防止部と併用している。
【００２５】
次に、図８に示した参考例では、仮貼着面25ａを、左右方向（テープ幅方向）中央に向かって下方へ窪む正面視円弧状（下方弯曲凸状）に形成している。
仮貼着したテープ両側縁10ｋ，10ｋ（側縁仮貼着点Ｐｂ）よりも幅方向中央部10ｂが下方位置になるように粘着テープ10を横断面下方弯曲凸状に変形させて、テープ先端領域Ｅが側面視下方弯曲凸状に垂れ下がるのを防止するテープ剛性を付与して、幅方向中央部10ｂを仮貼着面25ａの前方近傍位置で側断面視前方上傾状に保持するように構成したものである。
仮貼着面25ａの正面視の曲率半径Ｒを、３０ｍｍ以上５０ｍｍ以下、好ましくは、３５ｍｍ以上４５ｍｍ以下に設定している。曲率半径Ｒを下限値未満にすると、粘着テープ10が折れてスジ痕が付く虞れがある。上限値を越えると横断面下方弯曲凸状の変形量が小さく、十分なテープ剛性（コシ）を得られなくなる。他の構成及び作用効果は、上述の実施形態（第１の実施形態）と同様である。
【００２６】
次に、図９に示した第２の実施形態では、仮貼着面25ａを、左右方向（テープ幅方向）中央に向かって下方へ窪む正面視円弧状に形成し、かつ、中央分離スリット部25ｂを介して左右分離している。また、仮貼着面25ａと中央分離スリット部25ｂが接する角部25ｅ，25ｅをアール形状としている。
このように形成することで、仮貼着したテープ両側縁10ｋ，10ｋ（側縁仮貼着点Ｐｂ）よりも幅方向中央部10ｂが下方位置になるように粘着テープ10を横断面下方弯曲凸状に確実に変形させて、テープ先端領域Ｅが側面視下方弯曲凸状に垂れ下がるのを防止するテープ剛性を適切かつ十分に付与できる。他の構成及び作用効果は、上述の実施形態と同様である。
【００２７】
さらに、図13に示した第３の実施形態では、仮貼着面25ａを、正面視で水平状（一文字状）に形成し、かつ、粘着テープ10の幅方向中央部10ｂの仮貼着を防止する中央逃がし凹部25ｋを介して、左右に分離状に配設している。また、仮貼着面25ａと中央逃がし凹部25ｋが接する角部25ｅ，25ｅをアール形状としている。図13（ａ）は、中央逃がし凹部25ｋを上方開口コの字状に形成したものである。図13（ｂ）は、中央逃がし凹部25ｋを、下方弯曲円弧状（円弧凹状乃至Ｕ字凹状）に形成したものである。図13（ｃ）は、中央逃がし凹部25ｋを、Ｖ字状に形成したものである。このように形成することで、仮貼着したテープ両側縁10ｋ，10ｋ（側縁仮貼着点Ｐｂ）よりも幅方向中央部10ｂが下方位置になるように粘着テープ10を横断面下方弯曲凸状に確実に変形させて、テープ先端領域Ｅが側面視下方弯曲凸状に垂れ下がるのを防止するテープ剛性を適切かつ十分に付与できる。他の構成及び作用効果は、上述の実施形態と同様である。
【００２８】
次に、図14に示した第４の実施形態では、仮貼着面25ａを、左右方向中央に向かって下方へ窪む正面視円弧状に形成し、かつ、中央逃がし凹部25ｋを介して左右分離状に配設している。また、仮貼着面25ａと中央逃がし凹部25ｋが接する角部25ｅ，25ｅをアール形状としている。図14（ａ）は、中央逃がし凹部25ｋを上方開口コの字状に形成したものである。図14（ｂ）は、中央逃がし凹部25ｋを、下方弯曲円弧状に形成したものである。図14（ｃ）は、中央逃がし凹部25ｋを、Ｖ字状に形成したものである。他の構成及び作用効果は、上述の実施形態と同様である。
【００２９】
また、図15に示した第５の実施形態では、仮貼着面25ａを、Ｖ字状の中央逃がし凹部25ｋを介して左右分離状に配設し、さらに、仮貼着面25ａは、分離した一方面及び他方面を、左右方向中央に向かって下方へ直線状に傾斜する左右内方下傾状に形成している。仮貼着面25ａと中央逃がし凹部25ｋを連続して形成し、仮貼着部25を全体でＶ字状に形成している。他の構成及び作用効果は、上述の実施形態と同様である。中央逃がし凹部25ｋの形状は、上方開口コの字状や下方弯曲円弧状等自由である。
【００３０】
また、図16に示した第６の実施形態では、仮貼着面25ａを、Ｖ字状の中央逃がし凹部25ｋを介して左右分離状に配設し、さらに、仮貼着面25ａは、分離した一方面及び他方面を、左右方向中央へ向かって下方へ傾斜すると共に上方へ膨らむ所定曲率半径ｒａをもった正面視円弧状（上方弯曲凸状）に形成している。仮貼着面25ａから延伸状に中央逃がし凹部25ｋを設けて滑らかな円弧状に接続している。他の構成及び作用効果は、上述の実施形態と同様である。中央逃がし凹部25ｋの形状は、上方開口コの字状や下方弯曲円弧状等自由である。
【００３１】
また、図17に示した第７の実施形態では、仮貼着面25ａを、下方弯曲円弧状の中央逃がし凹部25ｋを介して左右分離状に配設し、さらに、仮貼着面25ａは、分離した一方面及び他方面を、上方へ突出する正面視丸山状に形成している。仮貼着面25ａと中央逃がし凹部25ｋを滑らかに接続して仮貼着部25を全体で波状に形成している。他の構成及び作用効果は、上述の実施形態と同様である。中央逃がし凹部25ｋの形状は、上方開口コの字状やＶ字状等自由である。
【００３２】
なお、本発明は、設計変更可能であって、図７及び図９に於て、中央逃がしスリット部25ｂを介して分離された仮貼着面25ａの一方面及び他方面を、左右方向中央に向かって下方へ直線状に傾斜する左右内方下傾状や、左右方向中央へ向かって下方へ傾斜すると共に上方へ膨らむ正面視円弧状や、上方へ突出する正面視丸山状に形成しても良い。また、成形した折り返しタブ11を上方へ引き上げた後に、揺動カッター部材３が前方揺動位置へ揺動するように、仮貼着部25から揺動カッター部材３の離間を補助する倒れ補助弾発付勢部材を設けても良い。倒れ補助弾発付勢部材は、軟質の発泡プラスチック、低反発ウレタン、スポンジ等の復元力のある樹脂製の板状乃至ブロック状部材、或いは、コイルバネ、板バネ等の金属製バネ部材、樹脂性の蛇腹状バネ部材、等であれば良い。基枠２の下面に、冷蔵庫やスチール棚等の被磁着面に磁着するための磁石部材を設けても良い。
【００３３】
なお、本発明の説明を容易にするために、基枠２を水平状面の設置面に載置して使用する場合を基準使用姿勢とし、粘着テープ巻体１から粘着テープ10を引き出す方向を前方として、方向を説明している。
【００３４】
以上のように本発明のテープカッターは、粘着テープ巻体１を取着するための保持輪20を回転自在に枢支する基枠２に前後揺動自在として下部３ｂが枢着されると共に上部３ａに切断刃部39を有する揺動カッター部材３を備え、引き出された粘着テープ10を前方揺動位置の揺動カッター部材３にて切断し、揺動カッター部材３を後方揺動位置まで揺動させると折り返しタブ11を形成するように構成したテープカッターであって、保持輪20と前方揺動位置の揺動カッター部材３との前後中間位置に、引き出された粘着テープ10を仮貼着して保持する仮貼着部25を基枠２に設け、仮貼着部25は、保持輪20の枢支点Ｐａに向かって傾斜する後方下傾状の仮貼着面25ａを有し、かつ、仮貼着面25ａは、中央分離スリット部25ｂを介して、左右に分離され、中央分離スリット部25ｂにて粘着テープ10の幅方向中央部10ｂを横断面下方弯曲凸状に変形させて、粘着テープ10が側面視下方弯曲凸状に垂れ下がるのを防止するテープ剛性を付与し、幅方向中央部10ｂを仮貼着面25ａの前方近傍位置で側断面視前方上傾状に保持するように構成したので、引き出した粘着テープ10の切断直後に、仮貼着部25と切断刃部39の間の粘着テープ10を確実に側面視上方弯曲凸状とすることができる。したがって、揺動カッター部材３を後方揺動させるとき、粘着テープ10が側面視で下方弯曲凸状に垂れ下がることなく、確実に折り返しタブ11を形成することができる。安定して折り返しタブ11が形成可能なテープカッターを、簡素な構造にでき、容易かつ迅速に製造できる。折り返しタブ11を形成する際に、熟練した技量がなくとも、粘着テープ10が側面視で下方へ垂れ下がらず、容易に、上方凸形に弯曲させて折り返しタブ11を形成できる。操作が簡単で使い勝手が良く、容易かつ迅速に次々と仮止め用粘着テープ片を形成できる。軽量小型で美観に優れたテープカッターを得ることができる。粘着テープ10のテープ先端領域Ｅを下方から押し上げるような部位や部材が必要なく、引き出した粘着テープ10の下方位置に指を通して容易に摘むことができる。
【００３５】
また、粘着テープ巻体１を取着するための保持輪20を回転自在に枢支する基枠２に前後揺動自在として下部３ｂが枢着されると共に上部３ａに切断刃部39を有する揺動カッター部材３を備え、引き出された粘着テープ10を前方揺動位置の揺動カッター部材３にて切断し、揺動カッター部材３を後方揺動位置まで揺動させると折り返しタブ11を形成するように構成したテープカッターであって、保持輪20と前方揺動位置の揺動カッター部材３との前後中間位置に、引き出された粘着テープ10を仮貼着して保持する仮貼着部25を基枠２に設け、仮貼着部25は、保持輪20の枢支点Ｐａに向かって傾斜する後方下傾状の仮貼着面25ａを有し、かつ、仮貼着面25ａは、粘着テープ10の幅方向中央部10ｂの仮貼着を防止する中央逃がし凹部25ｋを介して、左右に分離状に配設され、中央逃がし凹部25ｋにて粘着テープ10の幅方向中央部10ｂを横断面下方弯曲凸状に変形させて、粘着テープ10が側面視下方弯曲凸状に垂れ下がるのを防止するテープ剛性を付与し、幅方向中央部10ｂを仮貼着面25ａの前方近傍位置で側断面視前方上傾状に保持するように構成したので、引き出した粘着テープ10の切断直後に、仮貼着部25と切断刃部39の間の粘着テープ10を確実に側面視上方弯曲凸状とすることができる。したがって、揺動カッター部材３を後方揺動させるとき、粘着テープ10が側面視で下方弯曲凸状に垂れ下がることなく、確実に折り返しタブ11を形成することができる。安定して折り返しタブ11が形成可能なテープカッターを、簡素な構造にでき、容易かつ迅速に製造できる。折り返しタブ11を形成する際に、熟練した技量がなくとも、粘着テープ10が側面視で下方へ垂れ下がらず、容易に、上方凸形に弯曲させて折り返しタブ11を形成できる。操作が簡単で使い勝手が良く、容易かつ迅速に次々と仮止め用粘着テープ片を形成できる。軽量小型で美観に優れたテープカッターを得ることができる。粘着テープ10のテープ先端領域Ｅを下方から押し上げるような部位や部材が必要なく、引き出した粘着テープ10の下方位置に指を通して容易に摘むことができる。
【００３６】
また、粘着テープ巻体１を取着するための保持輪20を回転自在に枢支する基枠２に前後揺動自在として下部３ｂが枢着されると共に上部３ａに切断刃部39を有する揺動カッター部材３を備え、引き出された粘着テープ10を前方揺動位置の揺動カッター部材３にて切断し、揺動カッター部材３を後方揺動位置まで揺動させると折り返しタブ11を形成するように構成したテープカッターであって、保持輪20と前方揺動位置の揺動カッター部材３との前後中間位置に、引き出された粘着テープ10を仮貼着して保持する仮貼着部25を基枠２に設け、仮貼着部25は、保持輪20の枢支点Ｐａに向かって傾斜する後方下傾状の仮貼着面25ａを有し、かつ、仮貼着面25ａは、左右方向中央へ向かって下方へ窪むように正面視円弧状に形成され、円弧状の仮貼着面25ａにて粘着テープ10の幅方向中央部10ｂを横断面下方弯曲凸状に変形させて、粘着テープ10が側面視下方弯曲凸状に垂れ下がるのを防止するテープ剛性を付与し、幅方向中央部10ｂを仮貼着面25ａの前方近傍位置で側断面視前方上傾状に保持するように構成したので、引き出した粘着テープ10の切断直後に、仮貼着部25と切断刃部39の間の粘着テープ10を確実に側面視上方弯曲凸状とすることができる。したがって、揺動カッター部材３を後方揺動させるとき、粘着テープ10が側面視で下方弯曲凸状に垂れ下がることなく、確実に折り返しタブ11を形成することができる。安定して折り返しタブ11が形成可能なテープカッターを、簡素な構造にでき、容易かつ迅速に製造できる。折り返しタブ11を形成する際に、熟練した技量がなくとも、粘着テープ10が側面視で下方へ垂れ下がらず、容易に、上方凸形に弯曲させて折り返しタブ11を形成できる。操作が簡単で使い勝手が良く、容易かつ迅速に次々と仮止め用粘着テープ片を形成できる。軽量小型で美観に優れたテープカッターを得ることができる。粘着テープ10のテープ先端領域Ｅを下方から押し上げるような部位や部材が必要なく、引き出した粘着テープ10の下方位置に指を通して容易に摘むことができる。
【００３７】
また、揺動カッター部材３にて粘着テープ10を切断する際に、側面視で枢支点Ｐａから仮貼着面25ａの前縁25ｃに粘着テープ10の側縁10ｋが仮貼着した側縁仮貼着点Ｐｂを介して前方揺動位置の揺動カッター部材３の切断刃部39の刃先39ａまでを結ぶ仮想折線Ｑの折れ角度θが１４５°以上１７０°以下となるように構成したので、粘着テープ10にスジ痕がつくような屈折を防止できる。側面視で上方凸状に弯曲する山形状（頂部10ｇ）を適切な高さに保持でき、揺動カッター部材３を後方へ揺動させる際に、テープ先端領域Ｅが下方へ垂れ下がる（Ｖ字状に折れ曲がる）虞れを防止できる。
【００３８】
また、揺動カッター部材３にて粘着テープ10を切断する際に、側縁仮貼着点Ｐｂと、前方揺動位置の揺動カッター部材３の切断刃部39の刃先39ａと、の直線距離Ｓが１６ｍｍ以上２６ｍｍ以下となるように構成したので、使い勝手の良い適度な大きさの折り返しタブ11を形成できる。粘着テープ10の自重によって、下方へ垂れ下がることなく、安定的にタブ11を形成できる。
【符号の説明】
【００３９】
１  粘着テープ巻体
２  基枠
３  揺動カッター部材
３ａ  上部
３ｂ  下部
10  粘着テープ
10ｂ  幅方向中央部
10ｋ  側縁
11  折り返しタブ
20  保持輪
25  仮貼着部
25ａ  仮貼着面
25ｂ  中央分離スリット部
25ｃ  前縁
25ｋ  中央逃がし凹部
39  切断刃部
39ａ  刃先
Ｐａ  枢支点
Ｐｂ  側縁仮貼着点
Ｑ  仮想折線
Ｓ  直線距離
θ  折れ角度
【要約】      （修正有）【課題】容易かつ確実に仮止め用粘着テープ片を形成でき、剥離用紙片のコストや補充作業が不要で、使い勝手の良いテープカッターを提供する。【解決手段】揺動カッター部材３を備え、引き出された粘着テープ10を揺動カッター部材３にて切断し、揺動カッター部材３を揺動させて折り返しタブを形成するように構成したテープカッターであって、保持輪と揺動カッター部材３との前後中間位置に、引き出された粘着テープ10を仮貼着して保持する仮貼着部25を設け、仮貼着部25は、保持輪の枢支点に向かって傾斜する後方下傾状の仮貼着面25ａを有し、かつ、仮貼着面25ａは、中央分離スリット部25ｂを介して、左右に分離状に配設され、中央分離スリット部25ｂにて粘着テープ10の幅方向中央部10ｂを横断面下方弯曲凸状に変形させて、粘着テープ10が垂れ下がるのを防止する。【選択図】図４【図１】
0005864701.tif 000002
【図２】
0005864701.tif 000003
【図３】
0005864701.tif 000004
【図４】
0005864701.tif 000005
【図５】
0005864701.tif 000006
【図６】
0005864701.tif 000007
【図７】
0005864701.tif 000008
【図８】
0005864701.tif 000009
【図９】
0005864701.tif 000010
【図１０】
0005864701.tif 000011
【図１１】
0005864701.tif 000012
【図１２】
0005864701.tif 000013
【図１３】
0005864701.tif 000014
【図１４】
0005864701.tif 000015
【図１５】
0005864701.tif 000016
【図１６】
0005864701.tif 000017
【図１７】
0005864701.tif 000018